(57)【特許請求の範囲】
【請求項１】
駆動源と、
該駆動源により回転駆動され上端に第１嵌合部を有する駆動軸と、
装飾体と、
該装飾体が上端に取り付けられ、下端に前記第１嵌合部に遊嵌する第２嵌合部を有し、該第２嵌合部から径方向に偏心した位置に重心を有する連結軸と、を備え、
前記第１嵌合部及び第２嵌合部の一方が管状部からなると共に他方が軸状部からなり、前記管状部及び前記軸状部の一方又は両方に回転方向に係合する係合部が設けられ、前記連結軸の重心位置に従って前記第１嵌合部の軸心に対して前記第２嵌合部の軸心が傾くことにより前記係合部が前記軸状部又は前記管状部に係合して前記駆動軸と共に前記連結軸が回転することを特徴とする回転装飾体の支持構造。
【発明の詳細な説明】
【０００１】
【発明の属する技術分野】
本発明は、オルゴール、モータ、時計機構等の駆動源により回転駆動される装飾体を支持する構造に関するものであり、特に、装飾体に負荷がかかった場合に、その負荷が駆動源にまで伝わらないように構成したものに関する。
【０００２】
【従来の技術】
従来のオルゴール、モータ、時計機構等を駆動源として回転駆動される装飾体は、実開昭６２−１８４５９５号公報に開示されているように、オルゴールのドラムと共に回転するカム等にアーム状の係合体を係合させ、その係合体の揺動等により装飾体を動かすものであった。
【０００３】
上記従来技術においては、駆動源によりほぼ直接装飾体を駆動するように構成されていたので、装飾体が静止物に当たったり、外力で無理に動かされると、その際に装飾体にかかる負荷が直接駆動源にかかることになり、駆動源が停止したり、損傷することがあった。
【０００４】
そこで、特開平１０−３９０５２号公報に開示されているように、モータによって回転される駆動軸と装飾体を回転させる支軸の当接する端面に、軸方向に係合する凹凸からなる係合部をそれぞれ設け、支軸に負荷がかかると駆動軸の回転によって支軸を押し上げるように係合部が乗り越えて係合解除され、駆動軸に負荷がかからないように構成した回転飾りもあった。
【０００５】
【発明が解決しようとする課題】
上記従来技術のように、装飾体を支持する支軸を軸方向に逃がすことにより、支軸と駆動軸との係合を解除すれば駆動軸に負荷がかかることを防止することが可能である。しかし、支軸の軸方向から外力や負荷がかかった場合には、支軸が逃げることができなくなり、支軸と駆動軸の係合を解除することができなくなって駆動軸に負荷がかかることになってしまう。
【０００６】
本発明は、上記従来技術の課題に鑑みなされたもので、簡素な構成でしかも装飾体の回転方向や軸方向に負荷がかかった場合でも駆動源に負荷がかからないようにした回転装飾体の支持構造を提供するものである。
【０００７】
【課題を解決するための手段】
本発明の回転装飾体の支持構造は、駆動源と、該駆動源により回転駆動され上端に第１嵌合部を有する駆動軸と、装飾体と、該装飾体が上端に取り付けられ、下端に前記第１嵌合部に遊嵌する第２嵌合部を有し、該第２嵌合部から径方向に偏心した位置に重心を有する連結軸と、を備え、前記第１嵌合部及び第２嵌合部の一方が管状部からなると共に他方が軸状部からなり、前記管状部及び前記軸状部の一方又は両方に回転方向に係合する係合部が設けられ、前記連結軸の重心位置に従って前記第１嵌合部の軸心に対して前記第２嵌合部の軸心が傾くことにより前記係合部が前記軸状部又は前記管状部に係合して前記駆動軸と共に前記連結軸が回転するものである。
【０００８】
【発明の実施の形態】
本発明の回転装飾体の支持構造において、駆動源からの回転は、駆動軸と連結軸により装飾体に伝えられる。この駆動軸と連結軸は、駆動軸の上端に設けられた第１嵌合部と連結軸の下端に設けられた第２嵌合部を遊嵌することにより連結されている。この第１嵌合部と第２嵌合部は、一方が有底の管状部、他方が管状部より小径で先端が管状部の底に突き当たる軸状部からなり、これが遊嵌すると共に連結軸の重心が第２嵌合部から径方向に偏心しているため、管状部の軸心に対して軸状部の軸心が傾いた状態になる。
【０００９】
上記のような管状部と軸状部の一方又は両方の内周面又は外周面には、切欠やローレット等の凹凸からなる係合部が設けられている。この係合部は管状部と軸状部の軸心が傾くことにより管状部の内面又は軸状部の外面に係合し、これが回転方向に係合することにより、駆動軸の回転が連結軸に伝わって装飾体が回転する。
【００１０】
上記のように、駆動軸と連結軸は、管状部と軸状部の軸心が装飾体を含めた連結軸の重心によって傾くことにより係合している。このため、装飾体が静止物に当たったり、外力が連結軸に加わった場合、係合部による係合状態は容易に解除され、連結軸にかかった負荷がそのまま駆動軸に伝わることを防ぐことができる。
【００１１】
【実施例】
以下、図面に基いて本発明の実施例を説明する。図１は本発明の一実施例に係る回転装飾体の支持構造の要部断面図、図２は図１に示す支持構造を用いたオルゴール付時計の外観斜視図、図３及び図４は図２に示す駆動軸と駆動源を示す正面図及び側面図、図５は図２に示す連結軸と装飾体を示す側面図である。
【００１２】
図２において、２は時計筐体であり、その前面に時刻表示部４が設けられ、側面に後述するオルゴールからの音を放音するスリット状の音孔６が設けられている。この時計筐体２の内部には、時刻表示部４を駆動するムーブメント８と、オルゴールユニット１０が収納されている。また、時計筐体２の上方には、装飾体１６が設けられている。本実施例においては、オルゴールユニット１０のオルゴールを駆動源としてその回転を駆動軸１２と連結軸１４を介して装飾体１６に伝えることにより、装飾体１６は回転するように構成されている。
【００１３】
図３及び図４に示すように、オルゴールユニット１０は、オルゴール１８、オルゴール１８が取り付けられる木製板からなる共鳴板２０及びその共鳴板２０の一部に形成され図中下方が開口した箱状の共鳴室２２を備えている。オルゴール１８は、基板１８ａ上に設けられた音階板１８ｂを、モータ１８ｃにより回転駆動されるドラム１８ｄの周面に設けられた突起で弾くことにより音を発生するものを使用している。尚、モータ１８ｃは、ムーブメント８に設けられた目安機構からのアラーム信号あるいは共鳴板２０に固定されたフレーム２４上に設けられたモニタースイッチ２６の操作に応答して一定時間作動するものとなっている。
【００１４】
駆動軸１２は、オルゴール１８におけるドラム１８ｄの軸に取り付けられており、時計筐体２の上面に設けられた孔２ａから上方に突出するように構成されている。この駆動軸１２の上端には第１嵌合部１２ａが設けられている。この第１嵌合部１２ａは、図１及び図３に示すように、有底の管状部からなり、上端面から軸方向に形成された切欠部１２ｂを有している。また、この第１嵌合部１２ａには、内方にわずかに突出する切欠部１２ｂのエッジからなる第１係合部１２ｃが設けられている。
【００１５】
連結軸１４は、図２及び図５に示すように、略クランク状に屈曲しており、その上端に装飾体１６が取り付けられており、下端に第２嵌合部１４ａが設けられている。この第２嵌合部１４ａの外径は、駆動軸１２の第１嵌合部１２ａの内径よりも小さく、また、先端１４ｂが第１嵌合部１２ａの底部１２ｄに突き当たったときに第１係合部１２ｃに対面する位置に、細かい凹凸のローレットからなる第２係合部１４ｃを有している。
【００１６】
上記構成からなる駆動軸１２と連結軸１４は、図１に示すように遊嵌されて連結されている。即ち、駆動軸１２の第１嵌合部１２ａの内径より連結軸１４の第２嵌合部１４ａの外径の方が小さいため、第２嵌合部１４ａを第１嵌合部１２ａに差し込むと遊びをもった状態で遊嵌する。このときに、連結軸１４の軸方向の位置は、その先端１４ｂが第１嵌合部１２ａの底部１２ｄに突き当たることにより位置決めされており、このときに第１係合部１２ｃと第２係合部１４ｃが対面することになる。
【００１７】
上記のように第２嵌合部１４ａが第１嵌合部１２ａに遊嵌されているため、その遊びの分だけ第２嵌合部１４ａは径方向に移動可能な状態となっており、第２嵌合部１４ａの軸心１４ｅが第１嵌合部１２ａの軸心１２ｅに対してわずかに傾斜した状態で安定することになる。特に、本実施例のように連結軸１４がクランク状をなしていて、第２嵌合部１４ａの軸心から外れた所に装飾体１６が取り付けられていると、その重心位置が第２嵌合部１４ａから径方向に偏心し、第２嵌合部１４ａの軸心１４ｅが第１嵌合部１２ａの軸心１２ｅに対して傾き易い状態となる。
【００１８】
上記のように第２嵌合部１４ａの軸心１４ｅが第１嵌合部１２ａの軸心１２ｅに対して傾斜すると、このときに対面している第１係合部１２ｃに第２係合部１４ｃが押し付けられる。この第１係合部１２ｃと第２係合部１４ｃは、鋭いエッジ状の凸部あるいはローレット状の細かい凹凸の集合からなるものであるため、当接すると回転方向に対して食い付いたり大きな摩擦を生じさせることになり、このように回転方向に係合することによって駆動軸１２の回転が連結軸１４に伝達され、装飾体１６を回転させることになる。
【００１９】
一方、第１係合部１２ｃと第２係合部１４ｃとの係合状態は、連結軸１４が傾くことにより保持されているだけであり、装飾体１６に外力や負荷がかかって連結軸１４の傾き具合が変わると、即座に係合解除されて駆動軸１２と連結軸１４が別々に回転可能な状態になる。このため、連結軸１４に加わる負荷が駆動軸１４に直接伝わることがなくなり、駆動源としてのオルゴール１８が停止したり損傷することを防止することができる。
【００２０】
上記実施例においては、駆動軸１２の第１嵌合部１２ａを管状部で構成し、連結軸１４の第２嵌合部１４ａを軸状部で構成しているが、これを逆にして、第１嵌合部１２ａを軸状部で構成し、第２嵌合部１４ａを管状部で構成しても良い。
【００２１】
また、上記実施例においては、第１嵌合部１２ａと第２嵌合部１４ａにそれぞれ第１係合部１２ｃと第２係合部１４ｃを設けているが、第１係合部１２ｃと第２係合部１４ｃの何れか一方を設けるだけでも良い。
【００２２】
【発明の効果】
本発明によれば、駆動軸に設けた管状部等からなる第１嵌合部と、連結軸に設けた軸状部等からなる第２嵌合部とを遊嵌させ、その軸心の傾きにより係合する係合部を第１嵌合部と第２嵌合部に設けることにより駆動軸の回転が連結軸に伝わるように構成しているので、外力や負荷が回転方向あるいは軸方向に加わって軸心の傾きがかわると、即座に駆動軸と連結軸の係合状態が解除され、外力や負荷が駆動軸から駆動源に伝わることを防ぐことができる。
【００２３】
また、駆動軸と連結軸との連結部分に、他の部品や特殊な連結構造を必要としないため、構成が簡素で、コストも抑えることができる。
【図面の簡単な説明】
【図１】本発明の一実施例に係る回転装飾体の支持構造の要部断面図である。
【図２】図１に示す支持構造を用いたオルゴール付時計の外観斜視図である。
【図３】図２に示す駆動軸と駆動源を示す正面図である。
【図４】図２に示す駆動軸と駆動源を示す側面図である。
【図５】図２に示す連結軸と装飾体を示す側面図である。
【符号の説明】
１０          オルゴールユニット
１２          駆動軸
１２ａ        第１嵌合部
１２ｃ        第１係合部
１４          連結軸
１４ａ        第２嵌合部
１４ｃ        第２係合部
１６          装飾体
１８          オルゴール
【図１】
0003612686.tif 000002
【図２】
0003612686.tif 000003
【図３】
0003612686.tif 000004
【図４】
0003612686.tif 000005
【図５】
0003612686.tif 000006